(57)【要約】【課題】レイアウトによらずズームの操作性を向上させる。【解決手段】カメラボディ１２を把持した手の人差し指で左右方向に押し／引き操作されるズームレバー２４をカメラボディ１２の上面の一端近傍に有するカメラにおいて、ズームレバー２４が引き方向に操作された時のズームの速度を押し方向に操作された時のズームの速度よりも速くする。【選択図】      図８
2008216915.tif 000002
【特許請求の範囲】
【請求項１】
カメラボディの左右方向の一端を把持した手の人差し指で左右方向に押し／引き操作されるズームレバーを有し、該ズームレバーの操作に応じて、撮影レンズがテレ／ワイド方向にズーム駆動されるカメラにおいて、
前記撮影レンズをテレ／ワイド方向にズーム駆動する駆動手段と、
前記ズームレバーが押し方向に操作されると、前記撮影レンズが第１の速度でテレ又はワイド方向にズーム駆動されるように、前記駆動手段を制御するとともに、前記ズームレバーが引き方向に操作されると、前記撮影レンズが、前記第１の速度と異なる第２の速度で逆方向にズーム駆動されるように、前記駆動手段を制御する制御手段と、
を備えたことを特徴とするカメラ。
【請求項２】
前記カメラボディの上面の一端近傍に前記ズームレバーが配置されるとともに、前記第２の速度が、前記第１の速度よりも速い速度に設定されることを特徴とする請求項１に記載のカメラ。
【請求項３】
前記カメラボディは、厚みの薄い矩形の箱状に形成されることを特徴とする請求項２に記載のカメラ。
【発明の詳細な説明】
【技術分野】
【０００１】
本発明はカメラに係り、特にズームレバーの操作によって撮影レンズがテレ／ワイド方向にズーム駆動されるカメラに関する。
【背景技術】
【０００２】
コンパクトカメラのように、レンズ一体式のカメラの場合、通常、撮影レンズのズームは電動で行われる。すなわち、撮影レンズがアクチュエータによって駆動され、このアクチュエータの駆動をズーム操作手段の操作に基づいて制御することにより、撮影レンズのズームが行われる。
【０００３】
特許文献１には、このようにズームを電動で行うカメラにおいて、ズームの操作感を手動によるズームの操作感に近づける技術として、ズーム操作手段の操作量と操作速度を検出し、検出された操作量と操作速度に基づいてズームの駆動速度を決定する技術が提案されている。
【０００４】
ところで、このようにズームを電動で行うカメラの場合、通常、ズーム操作手段は、操作性を考慮して、カメラボディを把持した手で操作しやすい位置に配置される。
【特許文献１】特開平５−３１３０５３号公報
【発明の開示】
【発明が解決しようとする課題】
【０００５】
しかしながら、近年、カメラボディの小型化により、ズーム操作手段を操作しやすい位置に配置するのが困難になっており、そのような場合には、ズームの操作性が低下するという欠点がある。特にデジタルカメラの場合、フィルムカメラに比べて、そのカメラボディを飛躍的に小型化することができるが、その一方でズーム操作手段のレイアウトに制約を受け、ズームの操作性が低下するという問題がある。
【０００６】
本発明は、このような事情に鑑みてなされたもので、レイアウトによらずズームの操作性を向上させることができるカメラを提供することを目的とする。
【課題を解決するための手段】
【０００７】
請求項１に係る発明は、前記目的を達成するために、カメラボディの左右方向の一端を把持した手の人差し指で左右方向に押し／引き操作されるズームレバーを有し、該ズームレバーの操作に応じて、撮影レンズがテレ／ワイド方向にズーム駆動されるカメラにおいて、前記撮影レンズをテレ／ワイド方向にズーム駆動する駆動手段と、前記ズームレバーが押し方向に操作されると、前記撮影レンズが第１の速度でテレ又はワイド方向にズーム駆動されるように、前記駆動手段を制御するとともに、前記ズームレバーが引き方向に操作されると、前記撮影レンズが、前記第１の速度と異なる第２の速度で逆方向にズーム駆動されるように、前記駆動手段を制御する制御手段と、を備えたことを特徴とするカメラを提供する。
【０００８】
請求項１に係る発明によれば、カメラボディの左右方向の一端を把持した手の人差し指で左右方向に押し／引き操作されるズームレバーを有するカメラにおいて、ズームレバーが押し方向に操作された場合と引き方向に操作された場合とで異なる速度で撮影レンズがズーム駆動される。これにより、操作がしにくい方のズームの駆動速度を速く設定することができ、ズームの操作性を向上させることができる。
【０００９】
請求項２に係る発明は、前記目的を達成するために、前記カメラボディの上面の一端近傍に前記ズームレバーが配置されるとともに、前記第２の速度が、前記第１の速度よりも速い速度に設定されることを特徴とする請求項１に記載のカメラを提供する。
【００１０】
請求項２に係る発明によれば、カメラボディの上面の一端近傍にズームレバーが配置される。そして、引き方向に操作した場合のズームの駆動速度（第２の速度）が、押し方向に操作した場合のズームの駆動速度（第１の速度）よりも速い速度に設定される。カメラボディの上面の一端近傍にズームレバーを配置した場合、一般に押し方向の操作よりも引き方向の操作の方がしにくくなるため、引き方向に操作した場合のズームの駆動速度（第２の速度）を、押し方向に操作した場合のズームの駆動速度（第１の速度）よりも速い速度に設定することにより、ズームの操作性を向上させることができる。
【００１１】
請求項３に係る発明は、前記目的を達成するために、前記カメラボディは、厚みの薄い矩形の箱状に形成されることを特徴とする請求項２に記載のカメラを提供する。
【００１２】
請求項３に係る発明によれば、カメラボディが、厚みの薄い矩形の箱状に形成される。このように、薄型のカメラの場合、カメラボディの上面の一端近傍にズームレバーを配置すると、更に引き方向の操作の方がしにくくなるため、引き方向に操作した場合のズームの駆動速度（第２の速度）を、押し方向に操作した場合のズームの駆動速度（第１の速度）よりも速い速度に設定することにより、ズームの操作性を向上させることができる。
【発明の効果】
【００１３】
本発明によれば、ズームレバーのレイアウトによらずズームの操作性を向上させることができる。
【発明を実施するための最良の形態】
【００１４】
以下、添付図面を参照して本発明に係るカメラを実施するための最良の形態について説明する。
【００１５】
図１、図２は、それぞれ本発明が適用されたカメラの一実施形態の外観構成を示す正面斜視図と背面斜視図である。
【００１６】
このカメラ１０は、コンパクトタイプのデジタルカメラであり、そのカメラボディ１２は、厚みの薄い矩形の箱状に形成されている。
【００１７】
カメラボディ１２の正面には、図１に示すように、撮影レンズ１４、フラッシュ１６、ＡＦ補助光ランプ１８、マイク２０が設けられている。また、カメラボディ１２の上面には、シャッタボタン２２、ズームレバー２４、電源ボタン２６が設けられている。
【００１８】
一方、カメラボディ１２の背面には、図２に示すように、液晶モニタ２８、モードダイヤル３０、ＭＥＮＵ／ＯＫボタン３２、十字ボタン３４、再生ボタン３６、ファンクションボタン３８、ＤＩＳＰ／ＢＡＣＫボタン４０、露出補正ボタン４２が設けられている。
【００１９】
また、カメラボディ１２の底面には、スピーカ４４、三脚ネジ穴４６、開閉自在なバッテリカバー４８が設けられており、一方側の側面（背面側から見て左側の側面）には、開閉自在な端子カバー５０、赤外線通信ポート５４が設けられている。
【００２０】
本実施の形態のカメラ１０は、右利き用のカメラとして構成されており、カメラボディ１２の左端（正面から見て左端）を右手で把持して撮影操作するように構成されている。すなわち、カメラボディ１２の左端（正面から見て左端）には、カメラボディ１２を右手で把持するための把持部５６が形成されるとともに、その把持部５６を把持した右手の人指し指で操作できるように、シャッタボタン２２、ズームレバー２４、電源ボタン２６がカメラボディ１２の上面にレイアウトされるとともに、その把持部５６を把持した右手の親指で操作できるように、モードダイヤル３０、ＭＥＮＵ／ＯＫボタン３２、十字ボタン３４、再生ボタン３６、ファンクションボタン３８、ＤＩＳＰ／ＢＡＣＫボタン４０、露出補正ボタン４２がカメラボディ１２の裏面にレイアウトされている。
【００２１】
撮影レンズ１４は、カメラボディ１２に一体的に組み込まれており、沈胴式のＡＦズームレンズで構成されている。この撮影レンズ１４は、カメラボディ１２の把持部５６を確保するために、カメラボディ１２を正面側から見て右端寄りの位置に配置されている。また、この撮影レンズ１４の先端には、レンズカバー１４Ａが設けられており、レンズカバー１４Ａは、撮影レンズ１４の沈胴／繰り出しに連動して自動で開閉する。
【００２２】
カメラ１０は、電源がＯＮされると、撮影レンズ１４が繰り出され、ＯＦＦされると、沈胴する。そして、撮影レンズ１４が沈胴すると、図１に示すように、カメラボディ１２の前面がフラットな状態となる。
【００２３】
フラッシュ１６は、カメラボディ１２の正面右上隅に配置されている。このフラッシュ１６は、キセノン管で構成されており、撮影時に必要に応じて発光される（暗い被写体を撮影する場合等）。
【００２４】
ＡＦ補助光ランプ１８は、フラッシュ１６の下方位置に配置されている。このＡＦ補助光ランプ１８は、高輝度のＬＥＤランプで構成されており、ＡＦ時に必要に応じて発光される（暗い被写体を撮影する場合等）。
【００２５】
なお、このＡＦ補助光ランプ１８は、セルフタイマランプの機能も有しており、セルフタイマ撮影時に所定の態様で発光されて、被写体に撮影タイミングを告知する。
【００２６】
マイク２０は、撮影レンズ１４の右下に配置されている。なお、本実施の形態のカメラ１０は、動画撮影機能と音声メモの録音機能を備えており、マイク２０は、この動画撮影時と音声メモの録音時に使用される。
【００２７】
シャッタボタン２２は、いわゆる「半押し」と「全押し」とからなる二段ストローク式の押下ボタンで構成されており、円形状に形成されている。このシャッタボタン２２は、カメラボディ１２の左端（正面から見た場合）を把持した右手の人指し指が押下操作可能な位置に配置されており、カメラボディ１２の上面左端近傍上から見た場合）に配置されている。撮影時、カメラ１０は、このシャッタボタン２２が半押しされると、ＡＥ／ＡＦ等の撮影準備処理を行い、全押しされると、画像の撮影、記録を行う。
【００２８】
ズームレバー２４は、リング状に形成されており、その外周部に指掛け用のレバー部２４Ａが外径方向に突出して形成されている。このズームレバー２４は、シャッタボタン２２の外周を囲うように取り付けられており、図示しない付勢手段に付勢されて、シャッタボタン２２の周囲を左右方向に揺動自在に設けられている。
【００２９】
なお、所定の中立状態において、ズームレバー２４は、そのレバー部２４Ａが、カメラボディ１２の正面側に位置するように配置される（レバー部２４Ａが撮影レンズ１４の光軸と同じ方向に向くように配置される。）。撮影者は、このズームレバー２４を操作する際、カメラボディ１２を把持した右手の人差し指をレバー部２４Ａに掛け、そのレバー部２４Ａを押し／引き操作することにより、ズームレバー２４を左右方向に揺動させて、ズームレバー２４を操作する。
【００３０】
撮影時、カメラ１０は、このズームレバー２４が、左方向（上から見て）に操作されると（レバー部２４Ａが押し操作されると）、撮影レンズ１４がテレ方向にズーミングされ、右方向（上から見て）に操作されると（レバー部２４Ａが引き操作されると）、撮影レンズ１４がワイド方向にズーミングされる。
【００３１】
また、再生時、カメラ１０は、このズームレバー２４が、左方向（上から見て）に操作されると（レバー部２４Ａが押し操作されると）、液晶モニタ２８に表示されている画像が拡大表示され、右方向（上から見て）に操作されると（レバー部２４Ａが引き操作されると）、液晶モニタ２８に表示されている画像が縮小表示される。
【００３２】
なお、撮影レンズ１４は、ズームレバー２４が押し方向に操作されて、テレ方向側にズーム駆動される場合よりも、ズームレバー２４が引き方向に操作されて、ワイド方向側にズーム駆動される場合の方が、速い速度で駆動される（レンズが速い速度で移動するように駆動される）。これはズームの操作性を考慮したものである。すなわち、本実施の形態のカメラ１０のように、ズームレバー２４がカメラボディ１２の左端近傍に配置されると、押し操作よりも引き操作の方がしにくくなるため、引き操作によるズームの駆動速度を押し操作によるズームの駆動速度よりも速く設定して、ズームの操作性を向上させている。この点については、のちに詳述する。
【００３３】
電源ボタン２６は、押下式のボタンで構成されており、カメラボディ１２の上面ほぼ中央位置に配置されている。カメラ１０は、この電源ボタン２６が押下されることにより、電源がＯＮ／ＯＦＦされる。
【００３４】
液晶モニタ２８は、図２に示すように、カメラボディ１２の背面左端に配置されている。この液晶モニタ２８は、撮影済み画像を表示するための画像表示部として利用されるとともに、各種設定時にＧＵＩとして利用される。また、撮影時には、撮像素子で捉えた画像がスルー表示されて、電子ファインダとして利用される。
【００３５】
モードダイヤル３０は、円盤状に形成されており、カメラボディ１２の背面右上隅に配置されている。このモードダイヤル３０は、図示しないクリック機構により、一定の回転角度間隔で回動操作可能に設けられている。カメラ１０は、このモードダイヤル３０の設定位置に応じた撮影モード（たとえば、オート撮影モード、動画撮影モード、マニュアル撮影モード、シーンプログラム撮影モード等）に設定される。
【００３６】
なお、このモードダイヤル３０は、カメラボディ１２を把持する際、その把持した手の親指の指置きとして機能する。すなわち、撮影者は、カメラボディ１２を把持する際、このモードダイヤル３０の上に右手の親指を載せて、中指との間でカメラボディ１２を把持する。このため、モードダイヤル３０は、その表面が緩やかな弧を描くように凹んで形成されている。また、その外周面は、回転操作しやすいように、多数の溝が形成されている。
【００３７】
ＭＥＮＵ／ＯＫボタン３２は、押下式のボタンで構成されており、モードダイヤル３０の下方位置に配置されている。このＭＥＮＵ／ＯＫボタン３２は、メニュー画面の呼び出しを指示する機能を有するとともに、そのメニュー画面等で選択した内容の確定や処理の実行を指示する機能を有しており、カメラ１０の状態に応じて、割り当てられる機能が切り替えられる。
【００３８】
本実施の形態のカメラ１０では、このＭＥＮＵ／ＯＫボタン３２の押下によって液晶モニタ上に呼び出されるメニュー画面を利用して、カメラの各種設定が行われる。
【００３９】
十字ボタン３４は、ドーナツ状に形成されており、ＭＥＮＵ／ＯＫボタン３２の周囲を囲うように取り付けられている。この十字ボタン３４は、上下左右４方向に押下操作可能に設けられており、各方向には、カメラ１０の状態に応じて、割り当てられる機能が切り替えられる。たとえば、撮影モード時には、左ボタンにマクロ機能のＯＮ／ＯＦＦを切り替える機能が割り当てられ、右ボタンにフラッシュのモード（たとえば、オート発光／強制発光／発光禁止／赤目軽減発光等）を切り替える機能が割り当てられる。また、上ボタンに液晶モニタ２８の明るさを替える機能が割り当てられ、下ボタンにセルフタイマのＯＮ／ＯＦＦを切り替える機能が割り当てられる。また、再生モード時には、左ボタンにコマ送りの機能が割り当てられ、右ボタンにコマ戻しの機能が割り当てられる。また、上ボタンに液晶モニタ２８の明るさを替える機能が割り当てられ、下ボタンに再生中の画像を削除する機能が割り当てられる。また、各種設定時には、液晶モニタ２８に表示されたカーソルを各ボタンの方向に移動させる機能が割り当てられる。
【００４０】
再生ボタン３６は、押下式のボタンで構成されており、十字ボタン３４の右上位置に配置されている。カメラ１０は、撮影中、この再生ボタン３６が押されると、再生モードに切り替えられる。また、電源ＯＦＦの状態でこの再生ボタン３６が一定時間押されると、再生モードの状態で起動する。
【００４１】
ファンクションボタン３８は、押下式のボタンで構成されており、十字ボタン３４の左上位置に配置されている。このファンクションボタン３８には、カメラ１０の状態に応じて、割り当てられる機能が切り替えられる。たとえば、撮影モード時には、画像サイズや感度等の設定画面を呼び出す機能が割り当てられ、再生モード時には、スライドショーやプリント予約の画面を呼び出す機能が割り当てられる。
【００４２】
ＤＩＳＰ／ＢＡＣＫボタン４０は、押下式のボタンで構成されており、十字ボタン３４の左下位置に配置されている。このＤＩＳＰ／ＢＡＣＫボタン４０は、液晶モニタ２８の表示内容の切り替え指示（ＤＩＳＰ機能）に用いられるとともに、入力操作のキャンセル等の指示（ＢＡＣＫ機能）に用いられ、カメラ１０の状態に応じて割り当てられる機能が切り替えられる。
【００４３】
露出補正ボタン４２は、押下式のボタンで構成されており、十字ボタン３４の右下位置に配置されている。この露出補正ボタン４２は、撮影時に露出補正の設定画面の呼び出しの指示に用いられる。
【００４４】
スピーカ４４は、図２に示すように、カメラボディ１２の底面中央やや左寄り位置に配置されている。このスピーカ４４は、動画再生時における音声の出力やメモ録音された音声の再生出力に用いられる。
【００４５】
三脚ネジ穴４６は、カメラボディ１２の底面左端寄りの位置に設けられており、カメラ１０を三脚等に取り付ける際に使用される。
【００４６】
バッテリカバー４８は、カメラボディ１２の底面右端に設けられており、長手方向の一端（図２において左端）を中心に揺動して開閉される。このバッテリカバー４８を開くと、その内側には、バッテリを収納するためのバッテリ収納室及びメモリカードを装着するためのメモリカードスロットが設けられている。
【００４７】
端子カバー５０は、図２に示すように、カメラボディ１２の側面下部近傍に形成された端子部５２を開閉する。この端子部５２には、図示しないＰＣ接続端子と電源端子とが設けられている。
【００４８】
赤外線通信ポート５４は、図２に示すように、カメラボディ１２の側面のほぼ中央位置に配置されている。この赤外線通信ポート５４は、赤外線通信機能を有する外部機器との間で赤外線通信を行う際に使用される。
【００４９】
図３、図４は、それぞれ本実施の形態のカメラ１０に組み込まれた撮影レンズ１４の構成を示す外観斜視図と分解斜視図である。
【００５０】
同図に示すように、撮影レンズ１４は、レンズベース部材１０１、カム筒１０２、直進案内筒１０３、移動筒１０４、レンズ位置検出装置１０６等で構成されている。
【００５１】
レンズベース部材１０１は、レンズ鏡筒を保持する部材であり、カメラボディ１２に内蔵された図示しないフレームに固定される。このレンズベース部材１０１の中心には開口１０７が形成されており、この開口１０７の奥に撮像素子が取り付けられる。
【００５２】
レンズベース部材１０１の上部には、ブラシ部材１０５を保持するためのブラシ支持部１１１が一体的に形成されている。ブラシ部材１０５は、このブラシ支持部１１１にブラシ固定部材１１２をネジ１１３でネジ止めすることにより、レンズベース部材１０１に取り付けられる。
【００５３】
直進案内筒１０３は、固定筒であり、その後端部が図示しないネジによってレンズベース部材１０１に固定される。
【００５４】
カム筒１０２は、回転筒であり、直進案内筒１０３の外周に回動自在に取り付けられる。このカム筒１０２の外周面の後端部には、ギヤ部１１６が一体成形されており、ギヤ部１１６には、ズームモータ２２４ｚに連結されたギヤ列１２０が噛合されている。ズームモータ２２４ｚを駆動すると、そのズームモータ２２４ｚで発生した駆動力がギヤ列１２０を介してギヤ部１１６に伝達され、この結果、カム筒１０２が光軸Ｌを中心に回動する。
【００５５】
移動筒１０４は、カム筒１０２の内側に収容されており、光軸Ｌの方向に進退移動する。カム筒１０２の内周面には、この移動筒１０４を移動させるためのカム溝１３１が形成されている。一方、移動筒１０４の外周面には、このカム溝１３１に係合するカムピン１３２が取り付けられている。このカムピン１３２は、直進案内筒１０３に形成されたガイド溝１３３を通してカム溝１３１に係合されている。このため、カム筒１０２が回動すると、カム溝１３１とガイド溝１３３の作用によって、カムピン１３２が光軸Ｌの方向に案内され、この結果、移動筒１０４が光軸Ｌの方向に進退移動する。
【００５６】
移動筒１０４の内部には、ズームレンズ１４ｚ、フォーカスレンズ１４ｆ、レンズ枠１２３、フォーカスモータ２２４ｆ、スクリュー１２５、ピン１２６が設けられている。
【００５７】
ズームレンズ１４ｚは、移動筒１０４に固定されており、移動筒１０４とともに光軸Ｌと平行な方向に進退移動する。そして、このズームレンズ１４ｚが移動することにより、撮影レンズ１４のズームが行われる。
【００５８】
フォーカスレンズ１４ｆは、レンズ枠１２３に保持されている。このレンズ枠１２３は、スクリュー１２５に螺合する雌ネジ部１２７と、ピン１２６に係合する開口部１３０とが設けられている。
【００５９】
ピン１２６は、光軸Ｌと平行に設けられており、直進案内筒１０３の背面を通して、レンズベース部材１０１に取り付けられている。
【００６０】
スクリュー１２５も光軸Ｌと平行に配置されており、その一端がフォーカスモータ２２４ｆの出力軸に連結されている。
【００６１】
フォーカスモータ２２４ｆは、直進案内筒１０３に内蔵されており、図示しないブラケットを介して直進案内筒１０３に固定されている。
【００６２】
フォーカスモータ２２４ｆを駆動すると、スクリュー１２５が回転し、この結果、レンズ枠１２３がピン１２６にガイドされて、光軸Ｌの方向に進退移動する。そして、このレンズ枠１２３が移動することにより、フォーカスレンズ１４ｆが光軸Ｌの方向に前後移動し、これにより、撮影レンズ１４の焦点合せが行われる。
【００６３】
レンズ位置検出装置１０６は、移動筒１０４の位置を検出して、その移動筒１０４に設けられたズームレンズ１４ｚの位置を検出する。このレンズ位置検出装置１０６は、主として、ブラシ部材１０５、コード板１３５、レンズ位置検出回路１４１、フォトインタラプタ１４２、回転軸１４３、ギア１４４、遮光回転板１４５、ＲＯＭ１４６で構成されている。
【００６４】
上記のように、ブラシ部材１０５は、レンズベース部材１０１に取り付けられている。このブラシ部材１０５は、４つの端子を有しており、各端子は、レンズ位置検出回路７１に接続されている。
【００６５】
コード板１３５は、カム筒１０２の外周面に取り付けられており、その表面に４本のバーが、所定のパターンで形成されている。ブラシ部材１０５の端子は、このコード板１３５の表面に形成されたバーに接触されている。
【００６６】
この４本のバーのうち１本（共通バー）は、導電部１３６のみで構成されており、他の３本（コードバー）は、導電部１３６と非導電部１３７とで構成されている。
【００６７】
コードバーに接触する端子が、導電部１３６に接触すると、その端子が通電されて、その端子から「１」の情報（通電の情報）が、レンズ位置検出回路７１に出力される。レンズ位置検出回路７１は、図５に示すように、このブラシ部材１０５のコードバーに接触する端子の出力状況（ビットパターン）に基づいてカム筒１０２の回転位置を検出し、ズームレンズ１４ｚの位置を検出する。
【００６８】
なお、本例では、３桁のビットパターン（エンコード信号：０００、００１、０１０、０１１、１００、１０１、１１０、１１１）を出力することができるので、８カ所のレンズ位置（Ｚ１〜Ｚ８）を検出することができる。
【００６９】
回転軸１４３は、図３、図４に示すように、光軸Ｌと平行に配置されており、カメラボディ１２に内蔵された図示しないフレームに回動自在に支持されている。この回転軸１４３の一端には、ギア１４４が取り付けられており、他端には、回転遮光板１４５が取り付けられている。
【００７０】
ギア１４４は、カム筒１０２に形成されたギア部１１６に噛合されている。このため、カム筒１０２が回転すると、ギア１４４も回転し、この結果、遮光回転板１４５も回転する。
【００７１】
なお、ギア部１１６とギア１４４とのギア比は、カム筒１０２が、所定のワイド端位置からテレ端位置まで回転する間に、遮光回転板１４５が２回転するように設定されている。
【００７２】
遮光回転板１４５の外周部には、４個の遮光部１４５ａ〜１４５ｄが等間隔に形成されている。
【００７３】
フォトインタラプタ１４２は、投光部１４２ａと受光部１４２ｂとを有し、投光部１４２ａと受光部１４２ｂとの間が遮光された時にパルス信号を出力する。このフォトインタラプタ１４２は、遮光回転板１４５が回転した時に、遮光部１４５ａ〜１４５ｄが投光部１４２ａと受光部１４２ｂとの間を通過するように配置されている。
【００７４】
また、カム筒１０２が、ブラシ部材１０５により検出されるレンズ位置（Ｚ１〜Ｚ８）の各レンズ位置間に回転した時に、遮光部１４５ａ〜１４５ｂのいずれかが、フォトインタラプタ１４２の投光部１４２ａと受光部１４２ｂとの間に回転して遮光するようにされている。
【００７５】
フォトインタラプタ１４２は、レンズ位置検出回路１４１に接続されており、遮光回転板１４５により遮光された時に、パルス信号をレンズ位置検出回路１４１に出力する。
【００７６】
レンズ位置検出回路１４１内には、カウンタ部１４１ａが設けられている。カウンタ部１４１ａは、フォトインタラプタ１４２から取得したパルス信号の数の加算または減算を行う。
【００７７】
レンズ位置検出回路１４１は、ズームモータ２２４ｚを制御するズームモータドライバ２２６ｚと接続されており、ズームモータドライバ２２６ｚからモータの回転方向の情報を取得して、回転方向に応じてカウンタ部１４１ａの加算または減算の切り換えを行う。つまり、ズームレンズ１４ｚがワイド端からテレ端に向かって移動する時に、カウンタ部１４１ａが加算処理を行い、逆にテレ端からワイド端に向かって移動する時に、カウンタ部１４１ａが減算処理を行う。
【００７８】
レンズ位置検出回路１４１には、ＲＯＭ１４６が接続されており、ＲＯＭ１４６には、図６に示す参照テーブルが記憶されている。この参照テーブルは、コード位置（Ｚ１〜Ｚ８）の切り替わり位置（ＺＡ〜ＺＨ）と、カウンタ部１４１ａによりカウントされたパルス信号数との関係を示している。
【００７９】
レンズ位置検出回路１４１は、カウンタ部１４１ａによりカウントされたパルス信号数に基づいて、ＲＯＭ１４６に記憶された参照テーブルを参照することにより、位置（ＺＡ〜ＺＨ）のデータを取得する。
【００８０】
レンズ位置検出回路１４１は、ブラシ部材１０５を介して取得したエンコードデータと、フォトインタラプタ１４２を介して取得したパルス信号データとを組み合わせて、ズームレンズ１４ｚの位置を検出する。
【００８１】
ブラシ部材１０５を介して取得したエンコードデータのみで検出する場合、検出できる位置は８箇所（Ｚ１〜Ｚ８）であるが、フォトインタラプタ１４２を介して取得したパルス信号のカウントデータを加味することで、エンコードデータの切り替わり位置（ＺＡ〜ＺＧ）を検出することができるので、レンズ位置検出回路１４１は、ほぼ２倍の分解能でレンズ位置を検出することができる。
【００８２】
レンズ位置検出回路１４１は、カメラ全体を制御するＣＰＵ２１０に接続されており、ズームレンズ１４ｚの位置データはＣＰＵ２１０に出力される。ＣＰＵ２１０は、この位置データに基づいて撮影レンズ１４の焦点距離を算出する。
【００８３】
図７は、本実施の形態のカメラ１０の電気的構成を示すブロック図である。
【００８４】
同図に示すように、本実施の形態のカメラ１０は、ＣＰＵ２１０、操作部（シャッタボタン２２、ズームレバー２４、電源ボタン２６、モードダイヤル３０、ＭＥＮＵ／ＯＫボタン３２、十字ボタン３４、再生ボタン３６、ファンクションボタン３８、ＤＩＳＰ／ＢＡＣＫボタン４０、露出補正ボタン４２等）２１２、ＲＯＭ２１４、ＲＡＭ２１６、ＥＥＰＲＯＭ２１８、ＶＲＡＭ２２０、撮影レンズ１４、撮像素子２２８、タイミングジェネレータ２３０、アナログ信号処理部２３２、Ａ／Ｄコンバータ２３４、画像入力コントローラ２３６、画像信号処理部２３８、圧縮／伸張処理部２４０、メディアコントローラ２４４、メモリカード２４６、表示制御部２４８、ＡＥ検出部２５２、ＡＦ検出部２５４、ストロボ制御部２５６、ＡＦ補助光ランプ制御部２５８、電源制御部２６０、バッテリ２６２等で構成されている。
【００８５】
ＣＰＵ２１０は、操作部２１２からの入力に基づき所定の制御プログラムに従ってカメラ１０の各部を制御する。ＲＯＭ２１４には、このＣＰＵ２１０が実行する制御プログラム及び制御に必要な各種データ等が格納されている。また、ＥＥＰＲＯＭ２１８には、ユーザ設定情報等の各種設定情報等が格納されている。
【００８６】
ＲＡＭ２１６は、ＣＰＵ２１０の作業用領域として利用されるとともに、画像データの一時記憶領域として利用され、ＶＲＡＭ２２０は、表示用の画像データ専用の一時記憶領域として利用される。
【００８７】
撮影レンズ１４は、上記のように、ズームレンズ１４ｚとフォーカスレンズ１４ｆを備えている。
【００８８】
ズームレンズ１４ｚは、ズームモータ２２４ｚに駆動されて、光軸方向に進退移動し、これにより、撮像素子２２８の受光面上に結像される被写体像が拡大／縮小される。ＣＰＵ２１０は、操作部２１２からの入力に基づき、ズームモータドライバ２２６ｚを介してズームモータ２２４ｚの駆動を制御することにより、ズームレンズ１４ｚの移動を制御し、撮影レンズ１４のズームを制御する。
【００８９】
なお、上記のように、本実施の形態のカメラ１０では、テレ方向にズームする場合よりもワイド方向にズームする場合の方が、速い速度でズームされる。この点については、のちに詳述する。
【００９０】
フォーカスレンズ１４ｆは、フォーカスモータ２２４ｆに駆動されて、光軸方向に進退移動し、これにより、焦点合わせが行われる。ＣＰＵ２１０は、フォーカスモータドライバ２２６ｆを介してフォーカスモータ２２４ｆの駆動を制御することにより、フォーカスレンズ１４ｆの移動を制御し、焦点合わせを行う。
【００９１】
撮像素子２２８は、ＲＧＢ所定のカラーフィルタ配列のＣＣＤイメージセンサで構成されている。この撮像素子２２８は、タイミングジェネレータ（ＴＧ）２３０に駆動されて動作する。すなわち、タイミングジェネレータ２３０から与えられる駆動パルスによって、各画素（フォトセンサ）に蓄積された信号電荷が読み出され、また、タイミングジェネレータ２３０から与えられるシャッタゲートパルスによって、各画素に蓄積された信号電荷がシャッタドレインに掃き出される。なお、このシャッタドレインへの掃き出しを制御することにより、各画素の電荷蓄積時間が制御され、これにより、露光時間、すなわち、シャッタスピードが制御される。ＣＰＵ２１０は、タイミングジェネレータ２３０を介して撮像素子２２８の駆動を制御することにより、電荷蓄積時間（シャッタスピード）、及び、画像信号の読み出しを制御する。
【００９２】
アナログ信号処理部２３２は、撮像素子２２８から出力された画像信号に対して相関二重サンプリング処理を行い、増幅して出力する。
【００９３】
Ａ／Ｄコンバータ２３４は、アナログ信号処理部２３２から出力されたＲ、Ｇ、Ｂのアナログの画像信号をデジタルの画像信号に変換して出力する。
【００９４】
画像入力コントローラ２３６は、所定容量のラインバッファを内蔵しており、ＣＰＵ２１０からの指令に従い、Ａ／Ｄコンバータ２３４から出力された１コマ分の画像信号を蓄積して、ＲＡＭ２１６に格納する。
【００９５】
画像信号処理部２３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ２１０からの指令に従い、画像入力コントローラ２３６を介してＲＡＭ２１６に格納された画像信号を取り込み、所要の信号処理を施して輝度信号（Ｙ）と色差信号（Ｃｒ，Ｃｂ）とからなる画像信号（Ｙ／Ｃ信号）を生成する。生成された画像信号画像データはＲＡＭ２１６及びＶＲＡＭ２２０に格納される。
【００９６】
圧縮／伸張処理部２４０は、ＣＰＵ２１０からの指令に従い、画像信号処理部２３８で生成されたＹ／Ｃ信号をＲＡＭ２１６から取り込み、所定の圧縮処理を施して、所定形式（たとえば、ＪＰＥＧ）の圧縮画像データを生成する。また、ＣＰＵ２１０からの指令に従い、圧縮画像データを取り込み、所定の伸張処理を施して、非圧縮のＹ／Ｃ信号を生成する。
【００９７】
メディアコントローラ２４４は、ＣＰＵ２１０からの指令に従い、メディアスロットに装填されたメモリカード２４６に対してデータの読み／書きを制御する。たとえば、撮影により得られた画像データをメモリカード２４６に記録するとともに、読み出し指示に応じて、メモリカード２４６に記録されている画像データを読み出す。
【００９８】
表示制御部２４８は、ＣＰＵ２１０からの指令に従い、液晶モニタ２８の表示を制御する。すなわち、ＣＰＵ２１０からの指令に従い、ＶＲＡＭ２２０からＹ／Ｃ信号を取り込み、液晶モニタ２８に表示するための信号形式に変換して、液晶モニタ２８に出力する。また、ＣＰＵ２１０からの指令に従い、所定の文字、記号、図形等の情報（所定の操作情報やメニュー画面、撮影時における撮像情報（絞り値、シャッタスピード、撮像感度、撮像可能枚数、電池残量、日時情報等）、フォーカスエリアを表すＡＦフレーム、水平垂直を表す撮像補助線、再生時における再生情報（コマ番号、総撮像枚数、撮像日時、電池残量等）、エラー発生時におけるエラーメッセージ等）を液晶モニタ２８に出力する。
【００９９】
ＡＥ検出部２５２は、ＣＰＵ２１０からの指令に従い、画像入力コントローラ２３６を介してＲＡＭ２１６に格納された画像信号を取り込み、ＡＥ制御に必要な積算値を算出する。すなわち、１画面を複数のエリア（たとえば８×８）に分割し、分割したエリアごとにＲ、Ｇ、Ｂごとの画像信号の積算値を算出する。ＣＰＵ２１０は、ＡＥ制御時、このＡＥ検出部２５２から得た積算値に基づいて被写体の明るさ求め、撮影に適した露出値（ＥＶ値）を算出する。そして、所定のプログラム線図に従い、算出したＥＶ値から絞り値とシャッタスピードを決定する。
【０１００】
ＡＦ検出部２５４は、ＣＰＵ１１０の指令に従い、画像入力コントローラ２３６を介してＲＡＭ２１６に格納されたＲ、Ｇ、Ｂの画像信号を取り込み、ＡＦ制御に必要な焦点評価値を算出する。このＡＦ検出部２５４は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ２１０に出力する。ＣＰＵ２１０は、ＡＦ制御時、このＡＦ検出部２５４から出力される焦点評価値が極大となる位置をサーチし、その位置にフォーカスレンズ１４ｆを移動させることにより焦点合わせを行う。
【０１０１】
ストロボ制御部２５６は、ＣＰＵ２１０からの指令に従ってストロボ１６の発光を制御する。
【０１０２】
ＡＦ補助光ランプ制御部２５８は、ＣＰＵ２１０からの指令に従ってＡＦ補助光ランプ２０の発光を制御する。すなわち、ＣＰＵ２１０は、ＡＦ時に被写体が暗いと判断すると、あるいは、被写体のコントラストが低いと判断すると、ＡＦ補助光ランプ制御部２５８を介してＡＦ補助光ランプ２０を発光させ、被写体にＡＦ補助光を照射させてＡＦ制御を実行する。
【０１０３】
電源制御部２６０は、ＣＰＵ２１０からの指令に従い、バッテリ２６２から各部への電源の供給を制御する。
【０１０４】
本実施の形態のカメラ１０は以上のように構成される。
【０１０５】
次に、以上のように構成された本実施の形態のカメラ１０の作用について説明する。
【０１０６】
まず、撮影時における本実施の形態のカメラ１０の処理動作について説明する。
【０１０７】
カメラ１０は、電源ボタン２４を押下すると、撮影モードの下で起動する。
【０１０８】
まず、ズームモータドライバ２２６ｚを介してズームモータ２２４ｚが駆動され、撮影レンズ１４が所定位置まで繰り出される。撮影レンズ１４が、所定位置まで繰り出されると、液晶モニタ２８にスルー画像が表示される。すなわち、撮像素子２２８で連続的に画像が撮像され、その画像信号が連続的に処理されて、Ｙ／Ｃ信号が連続的に生成される。生成されたＹ／Ｃ信号は、ＶＲＡＭ２２０を介して順次表示制御部２４８に加えられ、表示用の信号形式に変換されて液晶モニタ２８に出力される。これにより、撮影レンズ１４を介して撮像素子２２８で捉えた画像が液晶モニタ２８にスルー表示される。
【０１０９】
撮影者は、この液晶モニタ２８に表示されたスルー画像を見て構図を調整する。すなわち、撮影レンズ１４を被写体に向けるとともに、必要に応じてズームレバー２４を操作し、撮影レンズ１４をテレ方向又はワイド方向にズームさせて、画角の調整を行う。
【０１１０】
この際、撮影レンズ１４は、ズームレバー２４を押し操作すると、テレ方向にズームされ、引き操作すると、ワイド方向にズームされる。なお、このズーム駆動制御については、のちに詳述する。
【０１１１】
このように、必要に応じて撮影レンズ１４のズームを行って、所望の構図になったところで、撮影者はシャッタボタン２２を半押しする。
【０１１２】
シャッタボタン２２が半押しされると、ＣＰＵ２１０にＳ１ＯＮ信号が入力される。ＣＰＵ２１０は、このＳ１ＯＮ信号に応動して、撮影準備、すなわち、ＡＥ、ＡＦの各処理を実行する。
【０１１３】
まず、撮像素子２２８から出力された画像信号をアナログ信号処理部２３２、Ａ／Ｄコンバータ２３４、画像入力コントローラ２３６を介してＲＡＭ２１６に取り込み、ＡＥ検出部２５２及びＡＦ検出部２５４に加える。
【０１１４】
ＡＥ検出部２５２は、入力された画像信号からＡＥ制御に必要な積算値を算出し、ＣＰＵ２１０に出力する。ＣＰＵ２１０は、このＡＥ検出部２５２から得られた積算値から被写体の明るさを求め、撮像ＥＶを算出する。そして、所定のプログラム線図に従って撮像ＥＶ値から本撮影時の絞り値とシャッタスピードを決定する。
【０１１５】
また、ＡＦ検出部２５４は、入力された画像信号からＡＦ制御に必要な焦点評価値を算出し、ＣＰＵ２１０に出力する。ＣＰＵ２１０は、このＡＦ検出部２５４からの出力に基づきフォーカスモータ２２４ｆの駆動を制御し、フォーカスレンズ１４ｆの移動を制御して、主要被写体に焦点を合わせる。また、この際、ＣＰＵ２１０は、必要に応じてＡＦ補助光ランプ２０を発光させる。
【０１１６】
撮影者は、液晶モニタ２８に表示されるスルー画像を見てピント状態を確認する。主要被写体にピントがあっていない場合は、シャッタボタン２２の半押しを解除し、再度、シャッタボタン２２を半押しする。また、必要に応じてズームレバー２４を操作し、構図の修正を行う。
【０１１７】
このようにして、構図の調整、ピント合せを行い、最終的に撮影したい被写体にピントが合い、構図が決定したら、本撮影の実行を指示する。すなわち、半押しの状態から更にシャッタボタン２２を押し込み、シャッタボタン２２を全押しする。
【０１１８】
シャッタボタン２２が全押しされると、ＣＰＵ２１０にＳ２ＯＮ信号が入力される。ＣＰＵ２１０は、このＳ２ＯＮ信号に応動して、撮影、記録の処理を実行する。
【０１１９】
まず、上記のＡＥ処理で求めた絞り値、シャッタスピードで撮像素子２２８を露光し、記録用の画像信号の取り込みを行う。
【０１２０】
撮像素子２２８から出力された一コマ分の画像信号は、アナログ信号処理部２３２、Ａ／Ｄコンバータ２３４を介して画像入力コントローラ２３６に取り込まれ、ＲＡＭ２１６に格納される。ＲＡＭ２１６に格納された画像信号は、ＣＰＵ２１０の制御の下、画像信号処理部２３８に加えられる。画像信号処理部２３８は、入力された画像信号に所定の信号処理を施して、輝度信号（Ｙ）と色差信号（Ｃｒ、Ｃｂ）とからなる画像信号（Ｙ／Ｃ信号）を生成する。
【０１２１】
画像信号処理部２３８で生成されたＹ／Ｃ信号は、一旦ＲＡＭ２１６に格納されたのち、圧縮／伸張処理部２４０に加えられる。圧縮／伸張処理部２４０は、このＹ／Ｃ信号に対して所定の圧縮処理を施し、所定形式の圧縮画像データを生成する。
【０１２２】
圧縮／伸張処理部２４０で生成された圧縮画像データは、ＲＡＭ２１６に格納される。ＣＰＵ２１０は、このＲＡＭ２１６に格納された圧縮画像データに所定の付属情報（絞り値やシャッタスピード、感度等の撮影条件や撮影日時等の撮影に関する種々の情報）を付加した所定フォーマットの静止画像ファイル（たとえば、Ｅｘｉｆ）を生成し、メディアコントローラ２４４を介してメモリカード２４６に記録する。
【０１２３】
以上が本実施の形態のカメラ１０における基本的な撮影、記録の処理動作である。
【０１２４】
次に、本実施の形態のカメラ１０における記録済み画像の再生処理の動作について説明する。
【０１２５】
メモリカード２４６に記録された画像は、カメラ１０のモードを再生モードに設定することにより、液晶モニタ２８に再生表示することができる。再生モードへの移行は、再生ボタン３２を押下することにより行われる。
【０１２６】
再生ボタン３２が押下されると、ＣＰＵ２１０は、メディアコントローラ２４４を介してメモリカード２４６に最後に記録された画像ファイルの圧縮画像データを読み出す。
【０１２７】
メモリカード２４６から読み出された圧縮画像データは、圧縮／伸張処理部２４０に加えられ、非圧縮の画像データとされたのちＶＲＡＭ２２０に加えられる。そして、ＶＲＡＭ２２０から表示制御部２４８を介して液晶モニタ２８に出力される。これにより、メモリカード２４６に記録されている画像が液晶モニタ２８に再生表示される。
【０１２８】
画像のコマ送りは、十字ボタン３６の左右のキー操作で行なわれ、右キーが操作されると、次の画像ファイルがメモリカード２４６から読み出され、液晶モニタ２８に再生表示される。また、十字ボタン３６の左キーが操作されると、一つ前の画像ファイルがメモリカード２４６から読み出され、液晶モニタ２８に再生表示される。
【０１２９】
以上のようにして、メモリカード２４６に記録された画像の再生処理が行われる。
【０１３０】
以上が本実施の形態のカメラ１０の基本的な撮影、再生の処理動作である。
【０１３１】
次に、本実施の形態のカメラ１０における、撮影時のズーム動作について説明する。
【０１３２】
上記のように、本実施の形態のカメラ１０は、ズームレバー２４を操作して、撮影レンズ１４をズームさせる。すなわち、図８（ａ）に示すように、カメラボディ１２を把持した右手の人指し指でズームレバー２４を引き操作すると、撮影レンズ１４がワイド方向にズームされ、図８（ｂ）に示すように、押し操作すると、撮影レンズ１４がテレ方向にズームされる。
【０１３３】
この際、本実施の形態のカメラ１０では、テレ方向へのズーム時よりもワイド方向へのズーム時の方が速い速度で撮影レンズ１４がズームされる。すなわち、テレ方向へのズーム時よりもワイド方向へのズーム時の方が速い速度でズームレンズ１４ｚが移動される。
【０１３４】
これはズームの操作性を向上させるためである。すなわち、本実施の形態のカメラ１０のように、ズームレバー２４をカメラボディ１２の上面の一端近傍に配置すると、引く操作がしにくくなるため（指の移動ストロークを十分に確保できないため、指の動きが窮屈になり、引き操作がしにくくなる。）、引き操作された場合は、押し操作された場合よりも、ズームの速度を速くして（ズームレンズ１４ｚの移動速度を速くして）、ズームの操作性を向上させている。
【０１３５】
以下、この撮影レンズ１４のズームの駆動制御について説明する。
【０１３６】
撮影モードにおいて、ズームレバー２４が押し操作されると、ＣＰＵ２１０にテレ方向ズームＯＮ信号が入力される。ＣＰＵ２１０は、このテレ方向ズームＯＮ信号が入力されると、ズームモータドライバ２２６ｚに対して、撮影レンズ１４が所定の速度（第１の速度）でテレ方向にズームされるように、テレ方向へのズーム指令を出力する。
【０１３７】
ズームモータドライバ２２６ｚは、このテレ方向へのズーム指令を受けて、ズームモータ２２４ｚをテレ方向に所定の速度で駆動し、ズームレンズ１４ｚをテレ方向に所定の速度で移動させる。これにより、撮影レンズ１４が、所定の速度でテレ方向にズームされる。
【０１３８】
一方、ズームレバー２４が引き操作されると、ＣＰＵ２１０にワイド方向ズームＯＮ信号が入力される。ＣＰＵ２１０は、このワイド方向ズームＯＮ信号が入力されると、ズームモータドライバ２２６ｚに対して、撮影レンズ１４が、テレ方向ズーム時よりも速い速度（第２の速度）でワイド方向にズームされるように、ワイド方向へのズーム指令を出力する。
【０１３９】
ズームモータドライバ２２６ｚは、このワイド方向へのズーム指令を受けて、ズームモータ２２４ｚをワイド方向に所定の速度（テレ方向ズーム時よりも速い速度）で駆動し、ズームレンズ１４ｚをワイド方向に所定の速度（テレ方向ズーム時よりも速い速度）で移動させる。これにより、撮影レンズ１４が、テレ方向ズーム時よりも速い速度でワイド方向にズームされる。
【０１４０】
このように、本実施の形態のカメラ１０では、ズームレバー２４を押し操作したとき（テレ方向ズーム時）よりもズームレバー２４を引き操作したとき（ワイド方向ズーム時）の方が、速くズームレンズ１４ｚが移動し、速くズームされる。これにより、操作がしにくい引き操作時においても、所望のズーム位置に素早くズームレンズ１４ｚを移動させることができ、操作性を向上させることができる。
【０１４１】
なお、本実施の形態のカメラ１０では、ズームレバー２４を引き操作すると、ワイド方向にズームし、押し操作すると、テレ方向にズームするように構成しているが、逆に引き操作すると、テレ方向にズームし、押し操作すると、ワイド方向にズームするように構成してもよい。この場合、テレ方向へのズームの速度の方が、ワイド方向へのズームの速度よりも速くなるように設定される。
【０１４２】
なお、ズームの速度の設定手段を設け（たとえば、メニュー画面等で設定できるようにする）、ズームレバー２４を押し操作した場合のズームの速度（テレ方向へのズームの速度）と引き操作した時のズームの速度（ワイド方向へのズームの速度）をユーザが任意に設定できるようにしてもよい。
【０１４３】
また、ズーム方向の設定手段を設け（たとえば、メニュー画面等で設定できるようにする）、ズームレバー２４を押し操作した時と引き操作した時のズーム方向をユーザが任意に設定できるようにしてもよい。
【０１４４】
また、上記実施の形態では、ズームレバー２４をカメラボディ１２の上面一端近傍に配置した場合について説明したが、ズームレバー２４の設置位置は、これに限定されるものではない。
【０１４５】
しかしながら、一般に引き操作がしにくくなるのは、カメラボディの把持部側の端部近傍に配置された場合であり、端部に近づけば近づくほど、その操作性は低下する。
【０１４６】
したがって、本発明は、カメラボディの把持部側の端部近傍に配置した場合に有効に作用する。特に端部から２５ｍｍ以内にズームレバーを配置した場合に有効に作用する。
【０１４７】
また、カメラボディ１２の厚さ（前後方向の厚さ）が、薄くなれば薄くなるほど、カメラは把持しにくくなるので、本実施の形態のカメラ１０のように、薄型のコンパクトカメラにおいて、本発明は有効に作用する。
【０１４８】
なお、カメラボディの上面にズームレバーを配置する場合には、シャッタボタン２２の近傍に配置することが好ましい。これにより、シャッタボタンを操作する指と同じ指で操作することができ、操作性を向上させることができる。
【０１４９】
また、上記実施の形態では、撮影レンズで光学的にズームする場合について説明したが、電子的にズームする場合も同様に動作するものとする。すなわち、ズームレバー２４を引き操作したときのズームの速度の方が、ズームレバー２４を押し操作したときのズームの速度よくも速くなるように、電子ズームの処理が行われる。
【０１５０】
同様に、ズームレバー２４の押し／引き操作で再生画像を拡大／縮小する場合もズームレバー２４を引き操作したときの速度の方が、ズームレバー２４を押し操作したときの速度よくも速くなるように拡大／縮小の処理が行われる。
【０１５１】
なお、本実施の形態では、ズームレバーの構成として、リング状に形成し、シャッタボタンの周囲を左右方向に揺動させて操作するように構成しているが、図９に示すように、左右方向にスライドさせて操作する構成にしてもよい。
【０１５２】
また、上記実施の形態では、本発明をデジタルカメラに適用した場合を例に説明したが、本発明の適用は、これに限定されるものではなく、いわゆるフィルムカメラにも同様に適用することができる。
【図面の簡単な説明】
【０１５３】
【図１】カメラの外観構成を示す正面斜視図
【図２】カメラの外観構成を示す背面斜視図
【図３】撮影レンズの構成を示す外観斜視図
【図４】撮影レンズの構成を示す分解斜視図
【図５】コード板の説明図
【図６】パルス信号のカウント数とレンズ位置との関係を示す参照テーブル
【図７】カメラの電気的構成を示すブロック図
【図８】ズームレバーの操作状態を示す図
【図９】スライド式のズームレバーが採用されたカメラの正面斜視図
【符号の説明】
【０１５４】
１０…カメラ、１２…カメラボディ、１４…撮影レンズ、２２…シャッタボタン、２４…ズームレバー、５６…把持部、２１０…ＣＰＵ、２１２…操作部、２１４…ＲＯＭ、２１６…ＲＡＭ、２２８…撮像素子、１４ｚ…ズームモータ、１４ｆ…フォーカスレンズ、２２４ｚ…ズームモータ、２２４ｆ…フォーカスモータ、２２６ｚ…ズームモータドライバ、２２６ｆ…フォーカスモータドライバ
【図１】
2008216915.tif 000003
【図２】
2008216915.tif 000004
【図３】
2008216915.tif 000005
【図４】
2008216915.tif 000006
【図５】
2008216915.tif 000007
【図６】
2008216915.tif 000008
【図７】
2008216915.tif 000009
【図８】
2008216915.tif 000010
【図９】
2008216915.tif 000011